(57)【特許請求の範囲】
【請求項１】
フライパンにおいて、
フライパン本体（６）の内部流入孔（２０）と底面の流出部（２４）内の流出路（２４ａ）を介して、遮断壁（１２）で取り囲まれた燃焼空間部（１０）内に排出された臭いガスが燃焼除去される構成であって、前記流出路（２４ａ）を有する流出部（２４）の上端縁の結合溝（２５）に結合及び分離され、前方が開放された流出路のカバー（２６）を挿入結合し、前記燃焼空間部（１０）に流出路（２４ａ）の前方に分散壁（１４）が形成されていることを特徴とする臭いを燃焼させるフライパン。
【請求項２】
流出路のカバー（２６）の前方に主排出口（２８ａ）を形成し、前記主排出口（２８ａ）の両側に切開形成された分散排出口（２８ｂ、２８ｃ）を構成することを特徴とする、請求項１に記載の臭いを燃焼させるフライパン。
【請求項３】
フライパン本体（６）の内部において、前記本体（６）の縁の一側上端に油流出防止片（３０）を嵌入結合させて構成することを特徴とする、請求項１に記載の臭いを燃焼させるフライパン。
【発明の詳細な説明】
【技術分野】
【０００１】
本発明は、臭いを燃焼させるフライパンの改良に関するものであって、特に、臭いガスを燃焼空間部内に遮断及び分散させることによって臭いを除去する効率大きく向上させた。
【背景技術】
【０００２】
通常の両面フライパンにおいて、フライパンで調理する際にフライパンの内部で発生する調理物の臭いガスが直火過熱部に誘導され、火炎によって燃焼除去されるように構成されている。
【０００３】
このような従来の両面フライペンは、臭いの一部を除去する効果はあるものの、魚料理等、酷い臭いがする料理の場合は、臭いを速やかに除去することができず、臭いを除去する効果があまりなかった。
【０００４】
また、両面フライパンを開けた時、上面フライパンの内部に残っていた油等が下方に流れてパンの外部に漏れ、周囲を汚してしまうという問題点があり、使用上の不便さがあった。
【０００５】
さらに、このようなフライパンの内部の臭いガスを直火加熱部へ排出させる排出口が一体に形成されたフライパンの場合は、臭いの排出口の内部に染み込んだ油あかを除去するのが難しく、このような油あかによってフライパン使用に不具合が生じたり、使用寿命が短くなるという問題点があった。
【０００６】
よって、熱伝導性が速くて均一という特徴により使用が急増する両面フライパン等において、上記の問題点に対する解決策が求められる。
【発明の開示】
【発明が解決しようとする課題】
【０００７】
そこで、本発明の目的は、両面フライパン及び蓋のあるフライパンの底面の直火加熱部において、調理物の臭いが燃焼除去される速度が遥かに速く、その効率も向上させた構成の臭いを燃焼させるフライパンを提供することである。
【０００８】
本発明の他の目的は、フライパン内部の臭いガスを直火加熱部に送り出す流出部を有するフライパンを簡単に成形製造できるように構成することで、速やかな大量生産が可能であり、前記流出部の内部洗浄を容易にすることができるようにした、臭いを燃焼させるフライパンを提供することである。
【０００９】
本発明のまた他の目的は、両面フライパンの使用時において、上面フライペンを上方に畳んでも、内部に残っていた油及び残渣がフライパンの外部に漏れないようにした、臭いを燃焼させるフライパンを提供することである。
【課題を解決するための手段】
【００１０】
本発明は、フライパンにおいて、フライパン本体６の内部流入孔２０と底面の流出部２４内の流出路２４ａを介して、遮断壁１２で取り囲まれた燃焼空間部１０内に排出された臭いガスが燃焼除去されるように構成されており、前記流出路２４ａを有して突出形成された流出部２４の上端縁の結合溝２５に結合及び分離され、前方あるいは両側に主排出口２８ａと分散排出口（２８ｂ、２８ｃ）が開放形成された流出路のカバー２６を嵌入して構成し、前記燃焼空間部１０内に流出路のカバー２６が結合された流出部２４の流出路２４ａの前方に分散壁１４が形成されていることを特徴とする。
【発明の効果】
【００１１】
本発明は、フライパン内部の調理物の臭いを除去する効率が高く、簡単かつ速やかな大量生産が可能であり、油あかの洗浄が容易であり、さらに、残渣の流出防止に優れていて使用が便利であるという効果を有する。
【発明を実施するための最良の形態】
【００１２】
以下、添付した図面を参照して本発明の好ましい実施例を詳細に説明する。なお、実施例を説明するための全図において、同一符号は同一機能を有する構成要素を示す。
【００１３】
図１は、本発明の斜視図である。図２は、本発明の側断面構成図である。図３は、本発明の平断面構成図である。図４は、本発明の流出部の部分分解斜視図である。図５は、本発明の流出部の正断面構成図である。図６は、本発明のフライパン本体の内部平面図である。図７は、本発明のフライパン本体を開けた状態の部分側断面図及び油流出防止片の部分拡大図である。
【００１４】
本発明の臭いを燃焼させるフライパン２は、臭いの除去効率を最大化することをその第１の目的とする。
【００１５】
本発明のフライパン２は、フライパン本体６と取っ手８で構成されており、本発明の好適な一実施形態として、フライパン本体６が両面であるものを例に挙げて説明することにする。
【００１６】
本発明のフライパン２のフライパン本体６において、図１〜図３に示すように、通常、ガスレンジ等の火が直接あたる直火加熱部に燃焼空間部１０がフライパン本体２の中央に位置するように形成され、この燃焼空間部１０へ調理物の臭いガスが流入するように流出部２４を設ける。
【００１７】
より詳細に説明すると、フライパン本体６の一側内部に、図２に示すように、臭いガスが流入されるように流入孔２０を構成し、前記流入孔２０に延長してフライパン本体６の底面には流出部２４が一体に突出形成されている。
【００１８】
前記流入孔２０内には、入口を方向性開閉が可能なように開閉自在な開閉口２２を設けて、両面焼きフライパン２の上下面を交互に使用する場合、上面側の流入孔２０の入口は遮断され、下面側に位置する流入孔２０は落下した開閉口２２によって入口が開放されるようにする。
【００１９】
また、流入孔２０に入り込んだ臭いガスは、流出部２４内の流出路２４ａに沿って火炎に吸い込まれて燃焼される。即ち、流出路２４ａは、図３〜図５に示すように、フライパン本体６の底面に側壁を形成する流出部２４と流出部２４の上端縁の結合溝２５に前方が多数開放され、その端部両側が部分折曲した流出路のカバー２６を挿入して構成される。従って、結合及び分離が自在な流出路のカバー２６により、流出路２４ａを掃除する場合、流出部２４と流出路のカバー２６のボルト等の締結を解除し、分離して個別に洗浄することが可能である。
【００２０】
そして、流出路のカバー２６との結合によって、流出路２４ａ内の臭いガスは、図３に示すように、流出路のカバー２６の直進方向の主排出口２８ａを介して主に臭いガスが排出され、さらに、前記主排出口２８ａの両側に折曲片が形成された分散排出口（２８ｂ、２８ｃ）を介しても臭いガスが分散排出される。
【００２１】
流出路２４ａを介して誘導され排出される臭いガスは、前記各主排出口２８ａと分散排出口（２８ｂ、２８ｃ）からも分散排出されるが、特に、流出路のカバー２６の主排出口２８ａへ排出される殆どの臭いガスは、流出路２４ａの前方に位置する分散壁１４にぶつかって燃焼空間部１０内に均等に拡散されることによって速やかに燃焼されるように構成されている。
【００２２】
燃焼空間部１０内の分散壁１４の高さは、遮断壁１２の高さと同じであるかそれより低く形成する。また、遮断壁１２の高さは、図５に示すように、流出路のカバー２６の高さより高く形成することが良い。このようにすることで排出される臭いガスが燃焼空間部１０内に均等に分散され、燃焼空間部１０の外部に漏れる前に速やかに除去されることができる。
【００２３】
そして、前記噴射壁１４は、図示するように、半円形に形成することもでき、円形または三角形等に変形して形成することも可能である。
【００２４】
一方、本発明のフライパン２は、図６及び図７に示すように、フライパン使用時にフライパン本体６の内部に残っている油や水分、その他の残渣が外部に流れて漏れるのを防ぐ油流出防止片３０を備えている。
【００２５】
油流出防止片３０は、フライパン本体６の一側にヒンジ軸を有する縁の一側上端に結合され、フライパン本体６の内部の外縁上端の一部を塞ぐ形態となっている。この場合、油流出防止片３０は、耐熱性に優れた金属材で形成する。さらに、油流出防止片３０の一側端部を折曲した折曲部３０ａをフライパン本体６の縁の一部に形成した結合溝３２に嵌入して固定結合する構成を有する。前記結合溝３２は、内部に行くほど広くなるように形成され、嵌入結合を一層高めた構成となっている。
【００２６】
以上、本発明による両面フライパン２において、分散壁１４と各方向の排出口（２８ａ、２８ｂ、２８ｃ）と結合及び分離が可能な流出路のカバー２６等を有する構成について説明したが、本発明は、両面フライパンと蓋のあるフライパンのいずれにも適用可能であり、上記構成を多様に変形して適用することができる。
【００２７】
従って、本発明の技術的保護範囲は前記実施の形態に限定されるものではなく、添付された特許請求の範囲と均等なものによって決まらなければならない。
【産業上の利用可能性】
【００２８】
本発明は、フライパンのみならず、キッチン用加熱容器にも適宜応用して使用することが可能である。
【図面の簡単な説明】
【００２９】
【図１】本発明の斜視図。
【図２】本発明の側断面構成図。
【図３】本発明の平断面構成図。
【図４】本発明の流出部の部分分解斜視図。
【図５】本発明の流出部の部分正断面構成図。
【図６】本発明のフライパン本体の内部平面図。
【図７】本発明のフライパン本体を開けた状態の部分側断面図及び油流出防止片の部分拡大図。
【符号の説明】
【００３０】
２    フライパン
６    フライパン本体
１０    燃焼空間部
１２    遮断壁
１４    分散壁
２０    流入孔
２２    開閉口
２４    流出部
２４ａ    流出路
２５    結合溝
２６    流出路のカバー
２８ａ    主排出口
２８ｂ、２８ｃ    分散排出口
３０    油流出防止片
３０ａ    折曲部
３２    結合溝
【図１】
0004789996.tif 000002
【図２】
0004789996.tif 000003
【図３】
0004789996.tif 000004
【図４】
0004789996.tif 000005
【図５】
0004789996.tif 000006
【図６】
0004789996.tif 000007
【図７】
0004789996.tif 000008